(57)【要約】【課題】電子メールの誤送信を防止する。【解決手段】携帯電話１は、受信される電子メールの本文を含む内容を表示する第１メール手段と、受付ける操作に基づき電子メールの宛先情報を含む内容を作成しながら、作成中の当該電子メールの内容を表示する第２メール手段と、第１メール手段による表示とともに第２メール手段による表示がされるように、第１および第２メール手段による各表示動作を制御する制御手段と、作成される電子メールの宛先情報と、第１メール手段により表示される受信電子メールの送信元情報とが異なるとき、所定情報を出力する情報出力手段と、を備える。【選択図】図２
2012155452.tif 000002
【特許請求の範囲】
【請求項１】
本文、送信元情報および宛先情報を含む電子メールの通信装置であって、
受信される電子メールの本文を含む内容を表示する第１メール手段と、
受付ける操作に基づき電子メールの宛先情報を含む内容を作成しながら、作成中の当該電子メールの内容を表示する第２メール手段と、
前記第１メール手段による表示とともに前記第２メール手段による表示がされるように、前記第１および第２メール手段による各表示動作を制御する制御手段と、
作成される電子メールの宛先情報と、前記第１メール手段により表示される受信電子メールの送信元情報とが異なるとき、所定情報を出力する情報出力手段と、を備える、電子メール通信装置。
【請求項２】
前記情報出力手段は、
作成された電子メールが送信される前に前記所定情報を出力する、請求項１に記載の電子メール通信装置。
【請求項３】
作成された電子メールを送信するメール送信手段を、さらに備え、
前記メール送信手段は、送信指示を受付けたとき電子メールを送信し、
前記情報出力手段は、
前記メール送信手段により送信指示が受付けられてから電子メールが送信される前に、前記所定情報を出力する、請求項１または２に記載の電子メール通信装置。
【請求項４】
前記情報出力手段は、
電子メールの作成中に、作成される電子メールの宛先情報と、第１メール手段により表示される電子メールの送信元情報とが異なると判定されるとき、前記所定情報を出力する、請求項１から３のいずれかに記載の電子メール通信装置。
【請求項５】
受信される電子メールを格納するための記憶部を、さらに備え、
前記第１メール手段は、前記記憶部の電子メールの本文を含む内容を表示する、請求項１から４のいずれかに記載の電子メール通信装置。
【請求項６】
電子メールを受信するメール受信手段を、さらに備え、
前記第１メール手段は、前記第２メール手段による電子メールの作成中に前記メール受信手段により受信される電子メールの本文を含む内容を表示する、請求項１から５のいずれかに記載の電子メール通信装置。
【請求項７】
本文、送信元情報および宛先情報を含む電子メールの通信方法であって、
受信される電子メールの本文を含む内容を表示するステップと、
受付ける操作に基づき電子メールの宛先情報を含む内容を作成しながら、作成中の当該電子メールの内容を表示するステップと、
受信される電子メールの本文を含む内容表示とともに、作成中の電子メールの内容表示がされるように、各表示動作を制御するステップと、
作成される電子メールの宛先情報と、表示される受信電子メールの送信元情報とが異なるとき、所定情報を出力するステップと、を備える、電子メール通信方法。
【請求項８】
本文、送信元情報および宛先情報を含む電子メールの通信方法をプロセッサに実行させるための電子メール通信プログラムであって、
受信される電子メールの本文を含む内容を表示するステップと、
受付ける操作に基づき電子メールの宛先情報を含む内容を作成しながら、作成中の当該電子メールの内容を表示するステップと、
受信される電子メールの本文を含む内容表示とともに、作成中の電子メールの内容表示がされるように、各表示動作を制御するステップと、
作成される電子メールの宛先情報と、表示される受信電子メールの送信元情報とが異なるとき、所定情報を出力するステップと、をプロセッサに実行させる電子メール通信プログラム。
【発明の詳細な説明】
【技術分野】
【０００１】
この発明は、電子メール通信装置に関し、特に、電子メールの誤送信を防止する電子メール通信装置に関する。
【背景技術】
【０００２】
インターネットなど通信回線を介した電子メールの通信環境が十分に整いつつある。これに伴い、携帯電話、ノート型パーソナルコンピュータ、ＰＤＡ（Personal  digital  Assistant）などの携帯型情報端末を用いて外出先であっても時間，場所を制限されることなく電子メールの送受信が可能である。
【０００３】
送信電子メールの編集時には、受信した電子メールに対する返信機能を利用することにより、ユーザは、宛先アドレスを入力する手間を省くことができるが、編集した電子メールを、想定している相手とは異なる相手に誤って送信（返信）してしまう可能性がある。そのため、電子メールの編集者は、表示されている宛先が、意図している宛先であるかを忘れずに確認する必要があった。
【０００４】
この確認を容易にするために、たとえば、特許文献１では、送信しようとする電子メールの宛先アドレスが、前回送信時から一定期間過ぎていないか、もしくは受信電子メールの中に同一アドレスがあるかどうかを判断し、該当する場合は送信の是非に係る通知を出力する。また、特許文献２では、送信しようとする電子メールの宛先アドレスからの返信頻度などを集計し、その頻度に基づいて当該宛先アドレスが誤送信の可能性があるアドレスであるか否かを通知する。
【先行技術文献】
【特許文献】
【０００５】
【特許文献１】特開２００７−２４１８０７号公報
【特許文献２】特開２００８−１１７１５３号公報
【発明の概要】
【発明が解決しようとする課題】
【０００６】
受信電子メールを表示して確認した後に、送信すべき電子メールを表示しながら編集する場合には、当該受信電子メールをバックグランド（背景ともいう）に表示しながら電子メールを表示しつつ編集することになる。そして、ユーザが編集後に、当該電子メールはバックグランドで表示中の受信電子メールに対する返信であると思い込み編集後の電子メールの送信操作をすると、バックグランドで表示している受信電子メールに対する返信先と異なる場合には、編集者が意図しない相手に編集後の電子メールが送信されてしまう可能性がある。
【０００７】
しかしながら、特許文献１と２の方法では、このようにバックグラウンドで表示している受信電子メールとの関係で通知をする、ということができない。
【０００８】
それゆえに本発明の目的は、電子メールの誤送信を防止できる電子メール通信装置を提供することである。
【課題を解決するための手段】
【０００９】
この発明のある局面に従う、本文、送信元情報および宛先情報を含む電子メールの通信装置は、受信される電子メールの本文を含む内容を表示する第１メール手段と、受付ける操作に基づき電子メールの宛先情報を含む内容を作成しながら、作成中の当該電子メールの内容を表示する第２メール手段と、第１メール手段による表示とともに第２メール手段による表示がされるように、第１および第２メール手段による各表示動作を制御する制御手段と、作成される電子メールの宛先情報と、第１メール手段により表示される受信電子メールの送信元情報とが異なるとき、所定情報を出力する情報出力手段と、を備える。
【００１０】
好ましくは、情報出力手段は、作成された電子メールが送信される前に所定情報を出力する。
【００１１】
好ましくは、電子メール通信装置は、作成された電子メールを送信するメール送信手段を、さらに備え、メール送信手段は、送信指示を受付けたとき電子メールを送信し、情報出力手段は、メール送信手段により送信指示が受付けられてから電子メールが送信される前に、所定情報を出力する。
【００１２】
好ましくは、情報出力手段は、電子メールの作成中に、作成される電子メールの宛先情報と、第１メール手段により表示される電子メールの送信元情報とが異なると判定されるとき、所定情報を出力する。
【００１３】
好ましくは、電子メール通信装置は、受信される電子メールを格納するための記憶部を、さらに備え、第１メール手段は、記憶部の電子メールの本文を含む内容を表示する。
【００１４】
好ましくは、電子メール通信装置は、電子メールを受信するメール受信手段を、さらに備え、第１メール手段は、第２メール手段による電子メールの作成中にメール受信手段により受信される電子メールの本文を含む内容を表示する。
【００１５】
この発明の他の局面に従うと、本文、送信元情報および宛先情報を含む電子メールの通信方法は、受信される電子メールの本文を含む内容を表示するステップと、受付ける操作に基づき電子メールの宛先情報を含む内容を作成しながら、作成中の当該電子メールの内容を表示するステップと、受信される電子メールの本文を含む内容表示とともに、作成中の電子メールの内容表示がされるように、各表示動作を制御するステップと、作成される電子メールの宛先情報と、表示される受信電子メールの送信元情報とが異なるとき、所定情報を出力するステップと、を備える。
【００１６】
この発明のさらに他の局面に従う電子メール通信プログラムは、上述の通信方法をプロセッサに実行させるためのプログラムである。
【発明の効果】
【００１７】
本発明によれば、電子メールの誤送信を防止することができる。
【図面の簡単な説明】
【００１８】
【図１】実施の形態に係る携帯電話の外観図である。
【図２】実施の形態に係る携帯電話のハードウェア構成図である。
【図３】実施の形態に係る処理フローチャートである。
【図４】実施の形態に係る画面表示例を示す図である。
【図５】他の画面表示例を示す図である。
【図６】他の画面表示例を示す図である。
【図７】他の画面表示例を示す図である。
【発明を実施するための形態】
【００１９】
以下、この発明の実施の形態について図面を参照して詳細に説明する。
本実施の形態は、電子メール通信装置として、携帯型の電話機（以下、携帯電話という）に適用する場合を例示するが、携帯電話に限定されず電子メールの表示、作成（編集）および通信などの機能を有する装置全般に適用することができる。
【００２０】
本実施の形態では、電子メールは、本文、差出人を指示する情報である送信元アドレス、および宛先を指示する情報である宛先アドレスを含む。この他に、本文のタイトル（件名）が含まれてもよい。
【００２１】
（携帯電話の外観とハードウェア構成）
図１には本実施の形態に係る携帯電話１の外観が示されて、図２には、そのハードウェア構成が示される。図を参照して、携帯電話１は、画像などの各種情報を表示するためのＬＣＤ（Liquid  Crystal  Display)７、外部から操作可能なように設けられている数字，文字，記号などを入力するために操作される複数のキーからなる入力部８、通話のための音声を入出力をするマイク５４およびスピーカ５５を含む。
【００２２】
ＬＣＤ７のディスプレイには、同時に２つ以上の画面を表示することができる。ここで画面は画像（静止画、動画（映像））を指す。
【００２３】
入力部８は、キー操作により文字，指示を入力するデバイスであるとしたが、タッチパネルなどの入力部と表示部とを一体的に備える表示一体型入力装置を介して入力デバイスが構成されてもよい。
【００２４】
図２を参照して、携帯電話１は、ＣＰＵ（Central  Processing  Unit）２、各種プログラムおよびデータを記憶し、また作業領域を提供するための記憶部３、ＬＣＤ７、入力部８、アンテナ８１を接続する通信部７１、音声を入力するためのマイク５４、音声を出力するためのスピーカ５５、カード状の記録媒体など各種の外部メモリ１２が着脱自在に装着されるＩ／Ｆ（Interface）１１を含む。Ｉ／Ｆ１１は、装着された外部メモリ１２をＣＰＵ２の制御によりアクセスする。これにより、ＣＰＵ２は外部メモリ１２からデータを読出すことができる。
【００２５】
通信部７１は、作成された電子メールをネットワークＮＴに送信するメール送信機能および電子メールをネットワークＮＴから受信するメール受信機能を有する。
【００２６】
記憶部３は、ＲＡＭ（Read  Only  Memory）３１およびＲＯＭ（Random  Access  Memory）３２、不揮発性のメモリなどを含む。ＲＡＭ３１の不揮発性記憶領域には、受信済みの電子メール（受信電子メールという）および送信済みの電子メールのデータが蓄積して格納される。通信部７１は、アンテナ８１を介して外部のネットワーク（インターネットを含む）ＮＴを介し、外部装置と通信する機能を有する。通信部７１が電子メールを受信すると、所定処理された後に記憶部３に格納される。ユーザが、受信電子メールを確認する際には、記憶部３から読出された電子メールが表示される。
【００２７】
ＲＯＭ３２には、携帯電話１の動作をマルチタスクに従い制御する機能を有するプログラムであるＯＳ（Operating  System）が格納される。ＯＳのマルチタスク制御によれば、ＣＰＵ２の処理時間を、短い時間で複数のアプリケーションプログラムに順番に割当てることによって、各アプリケーションプログラムに対応の処理（タスクともいう）が見かけ上同時に実行する。本実施の形態では、マルチタスク制御されるタスクとして、受信した電子メールの本文を含む内容をＬＣＤ７に表示するためのメール表示処理部２１、および受付ける操作に基づき電子メールの宛先アドレスを含む内容を作成しながら、作成中の当該電子メールの内容をＬＣＤ７に表示するためのメール編集処理部２２を含む。メール表示処理部２１により表示される電子メールには、受信されて記憶部３に格納された電子メール、または電子メール作成中に受信された電子メールを含む。この２つのタスクそれぞれには、ＯＳの一部の機能を用いたタスク制御部２３により、ＣＰＵ２の処理時間を短い時間で交互に割当てられることにより、各タスクは見かけ上同時に実行される。
【００２８】
本実施の形態では、後述の図３のフローチャートに示すように、ＣＰＵ２は、バックグラウンドで表示されている受信電子メールの送信元アドレスを検出し、作成される電子メールの宛先アドレスと一致しているか判断し、一致しない場合は電子メールの作成中または送信時においてアラート出力部２０が宛先アドレスが誤っている可能性がある旨をユーザに対して通知する。これにより、送信電子メールが意図しない相手に届くことを防止する。
【００２９】
本実施の形態では、アラート出力部２０、メール表示処理部２１およびメール編集処理部２２の機能を実現するためのプログラムは予めＲＯＭ３２に格納される。ＣＰＵ２は、これらプログラムをＲＯＭ３２から読出し実行することにより、それらの機能が実現される。
【００３０】
図４には、マルチタスク制御による画面の表示例が示される。図４の（Ｂ）の画面では、メール作成処理を指示する“メール作成”のボタンと、ＲＡＭ３１から受信電子メールを読出・表示を指示する“メール参照”のボタンとが表示される。ユーザは、入力部８を介していずれかのボタンを操作することができる。
【００３１】
ユーザにより“メール参照”のボタン操作がされると、ＣＰＵ２は入力部８を介して当該操作を受付けることにより、メール表示処理部２１のプログラムをＲＯＭ３２から読出し、当該プログラムを実行する。メール表示処理部２１はＬＣＤ７にＲＡＭ３１から受信電子メールを読出し、図４の（Ａ）のようにＬＣＤ７に表示する。これにより、図４の（Ｂ）の画面は図４の（Ａ）の画面に切替る。ＣＰＵ２は、図４の（Ａ）の画面で表示される受信電子メールの送信元アドレスを読出し、ＲＡＭ３１に表示メールアドレス３３として格納する。
【００３２】
なお、メール表示処理部２１は、ＲＡＭ３１の受信電子メールの一覧を表示し、表示された一覧からユーザが入力部８を操作して選択した受信電子メールを図４の（Ａ）の画面で表示すると想定する。
【００３３】
図４の（Ａ）の画面を表示する状態で、ユーザが当該画面の“Ｍｅｎｕ”ボタンを操作した場合には、ＣＰＵ２は当該操作を入力部８を介して受付けて、図４の（Ａ）の画面を背景に図４の（Ｂ）の画面を表示する。図４の（Ｂ）の画面を表示する状態において“メール作成”ボタンが操作されると、ＣＰＵ２は、メール編集処理部２２のプログラムをＲＯＭ３２から読出し当該プログラムを実行する。これにより、メール編集処理部２２により、電子メール作成のための画面（図４の（Ｃ）の画面）が、ＬＣＤ７に表示中の図４の（Ａ）の画面を背景にして表示される。このとき、メール表示処理部２１とメール編集処理部２２は共に実行状態となり、タスク制御部２３は実行状態にある両処理部についてマルチタスク制御を開始し、メール表示処理部２１とメール編集処理部２２とにＣＰＵ２の処理時間の割当てを開始する。これにより、両処理は見かけ上同時に実行されることになる。
【００３４】
続いて、図４の（Ｃ）の画面を表示する状態において、ユーザが当該画面の“Ｍｅｎｕ”ボタンを操作した場合には、ＣＰＵ２は当該操作を入力部８を介して受付けて、図４の（Ｃ）の画面を背景に図４の（Ｂ）の画面を表示する。この状態に置いて、図４の（Ｂ）の画面の“メール参照”ボタンが操作されると、ＣＰＵ２は当該操作を入力部８を介して受付けて、図４の（Ｂ）の画面を消去して、表示中の図４の（Ａ）の画面を、表示中の図４の（Ｃ）の画面を背景に表示するように切替える。
【００３５】
このようにマルチタスク制御が開始されると、図４の（Ｂ）の画面におけるボタン操作に応じて、表示中のメール表示処理部２１による図４の（Ａ）の画面と、表示中のメール編集処理部２２による図４の（Ｃ）の画面とのうちの一方を背景画面にし、他方を当該背景画面に重畳して表示するように切替えることができる。
【００３６】
次に、図３のフローチャートに従って、図４を参照しながら、携帯電話１において電子メールを作成し送信する動作について説明する。図３のフローチャートに従うプログラムは、予めＲＯＭ３２に格納され、ＣＰＵ２が当該プログラムを読出し、実行することにより処理が開始される。
【００３７】
ユーザが入力部８の所定キーを操作すると、ＣＰＵ２は入力部８を介して当該操作に従う指示を受付けて、図３のフローチャートに従う処理を開始する。このとき、ＣＰＵ２により、図４の（Ｂ）の画面が表示される。
【００３８】
図４の（Ｂ）の画面が表示された状態において、ユーザが“メール作成”ボタンを操作すると、ＣＰＵ２は当該操作に従うメール作成指示を入力部８を介して受付けることにより、電子メールの作成処理を行う（ステップＳ３）。具体的には、ＣＰＵ２は、メール編集処理部２２のプログラムをＲＯＭ３２から読出し、当該プログラムを実行する。メール編集処理部２２は、ＬＣＤ７において、図４の（Ｂ）の画面から電子メール作成のための画面（図４の（Ｃ）の画面）に切替え表示する。そして、ユーザがキー操作により入力する情報を用いて、記憶部３の作業領域において電子メールのデータ（宛先アドレス、本文など）を作成しながら、作成中データの内容をＬＣＤ７の図４の（Ｃ）の画面に表示する。
【００３９】
ここでは、図４の（Ｂ）の画面の“メール作成”ボタンが操作されると電子メールの作成の画面（図４の（Ｃ）参照）が表示されるとしているが、図４の（Ａ）の画面の“返信”ボタンが操作されると図４の（Ｃ）の電子メール作成画面が表示されるとしてもよい。
【００４０】
電子メールの作成が終了すると、すなわち図４の（Ｃ）の画面の“送信”ボタンが操作されると、ＣＰＵ２は、当該操作に従う送信指示を入力部８を介して受付ける。受付けた送信指示に応じて、作成された電子メールの宛先アドレスを読出し、ＲＡＭ３１に送信メールアドレス３４として格納する。
【００４１】
なお、作成される送信電子メールの宛先アドレスは、記憶部３に格納された図示のない電話帳データから検索して取得してもよく、または、電子メールの送信履歴のデータから検索して取得してもよい。または図４の（Ａ）で表示中の受信電子メールの送信元アドレスをコピーすることにより取得してもよい。
【００４２】
図４の（Ｃ）の画面が表示される状態で、ユーザが入力部８を介して当該画面の“送信”ボタンを操作すると、当該操作に従う送信指示に基づき、ＣＰＵ２はタスク制御部２３によるマルチタスク制御が行われているか否かを判定し、その判定結果に基づき図４の（Ｃ）の画面の背景に図４の（Ａ）の画面が表示されているか否かを判定する（ステップＳ７）。
【００４３】
受信電子メールの表示ありと判定されると（ステップＳ７で“あり”）、ＣＰＵ２は、ＲＡＭ３１の表示メールアドレス３３と送信メールアドレス３４とを比較し、両者が一致するか否かを判定する（ステップＳ９）。
【００４４】
一致すると判定すると（ステップＳ９で“一致する”）、ＣＰＵ２は、メール編集処理部２２により作成された電子メールのデータをＲＡＭ３１の作業領域から読出し、通信部７１に送信指示とともに出力する。通信部７１は、送信指示に基づき、入力した電子メールのデータを送信可能なデータに変換し、変換後のデータを、電子メールの宛先アドレスが指定するアドレスに宛ててアンテナ８１を介して送信する（ステップＳ１５）。送信中は、ＣＰＵ２は図４の（Ｃ）の画面に重畳して送信中の画面（図４の（Ｅ）の画面）を表示する。
【００４５】
通信部７１がネットワークＮＴを介して送信完了の通知を受信すると、通信部７１は送信完了をＣＰＵ２に通知する。送信完了の通知に応じて、ＣＰＵ２は図４の（Ｅ）の画面を消去し、メール編集処理部２２は図４の（Ｃ）の画面を消去する。
【００４６】
その後、ＣＰＵ２はメール編集処理部２２を実行状態から実行待ち状態（または実行可能状態）に遷移させる。これにより、メール表示処理部２１のみが実行状態となりマルチタスク制御は終了する。
【００４７】
一方、一致しないと判定すると（ステップＳ９で“一致しない”）、送信処理は中断する。そして、ステップＳ１１で、アラート出力部２０はＬＣＤ７の表示画面に重畳させて、アラート画面２０Ａを表示する（図４の（Ｄ）を参照）。アラート画面２０Ａにより、表示中の受信電子メールの送信元アドレスと、送信しようとする電子メールの宛先アドレスが相違する旨のメッセージを出力し、ユーザに注意を喚起する。このメッセージ出力とともに、または当該メッセージに代替して、音声を出力するようにしてもよく、または画面の表示色（たとえば、赤色）を変更するようにしてもよい。
【００４８】
アラート画面２０Ａには、中断している送信処理をキャンセルさせるために操作される“ｃａｎｃｅｌ”ボタンと、中断している送信処理を再開させるために操作される“ＯＫ”ボタンが表示される。
【００４９】
ユーザが“ｃａｎｃｅｌ”ボタンを操作すると、ＣＰＵ２は入力部８を介して当該操作に従う指示を受付けて、アラート画面２０Ａを消去する。これにより、ＬＣＤ７の画面の表示状態は、図４の（Ｃ）の状態に戻り、処理はステップＳ３のメール作成処理に戻る。
【００５０】
ユーザが“ＯＫ”ボタンを操作すると、ＣＰＵ２は入力部８を介して当該操作に従う指示を受付けて、ＬＣＤ７の画面の表示状態を、図４の（Ｅ）の状態に切替えて、中断されていた電子メールの送信処理が再開されて、電子メールが送信される（ステップＳ１５）。
【００５１】
このように、作成された電子メールが送信される前にアラート画面２０Ａが出力され、とりわけ、“送信”ボタン操作による送信指示が受付けられてから電子メールが送信される前に、アラート画面２０Ａが出力するされることで、意図しない宛先への電子メールの送信を防止することが可能となる。
【００５２】
図３のフローチャートの処理が適用され得る実際のユースケースを説明する。たとえば、受信電子メール（受信メールＡと称する）に対する返信メールを作成しようと、メール作成処理を行う。直後に新着電子メール(受信メールＢと称する)を受信し、受信メールＢを確認しようと受信メールＢをＬＣＤ７に表示する。このケースの場合、受信メールＢに対する返事を書こうと、既に表示中の受信メールＡに対する返信メールに受信メールＢに対する返事をそのまま作成してしまい、誤った宛先に送信してしまうことを防げる。
【００５３】
また、新規の電子メールを作成中に、新着電子メール(受信メールＣと称する)を受信すし、受信メールＣを確認しようと受信メールＣを表示する。このケースの場合、その受信メールＣに対する返信文を、既に立ち上げている新規電子メールの作成画面に記載してしまい、意図しない宛先へ送信をされるのを防止できる。この場合には、アラート出力部２０は、電子メールの作成中に受信して表示される電子メールの送信元アドレスと、作成中の電子メールの宛先アドレスとが異なるとき、アラート画面２０Ａを出力し、作成の段階で注意喚起をすることができる。
【００５４】
ここでは、図４の（Ａ）の画面で受信電子メールが表示される都度、表示される受信電子メールの送信元アドレスを取得したが、取得するタイミングは、このときに限定されず、図４の（Ｃ）の画面の“送信”ボタンが操作されたときに取得するようにしてもよい。
【００５５】
本実施の形態では、電子メールの表示画面を背景に他の電子メールの表示画面を表示するので両画面は重畳した状態となるが、マルチウィンドウのように、重畳しない状態で個別に表示されるようにしてもよい。
【００５６】
（変形例）
上述した実施の形態の変形例が、図５〜図７に示される。図３のステップＳ９で“一致する”と判定された場合であっても、図５の（Ａ）〜（Ｃ）に示すように、作成した電子メールの宛先アドレスに予め指定された個人アドレス、または予め指定されたグループのアドレスが含まれると判定される場合には、作成画面を設定変更できる任意の色で(たとえば赤色)表示するなどしてユーザに注意を喚起し、送信前に宛先の確認を促すようにしてもよい。
【００５７】
また、図３のステップＳ９で“一致する”と判定された場合であっても、図６の（Ａ）〜（Ｃ）に示すように、作成した電子メールの宛先アドレスが、一定期間送信の履歴がない宛先アドレスに一致すると判定される場合には、図５と同様に注意を促すようにしてもよい。
【００５８】
また、上述の実施の形態では、“送信”ボタンが操作されると画面は注意喚起の表示態様（図４の（Ｄ）参照）に変更されたが、図７の（Ａ）〜（Ｃ）に示すように、電子メール作成時において、表示中の受信電子メールの送信元アドレスと作成中の電子メールの宛先アドレスを比較し、不一致ならば、作成画面を設定変更できる任意の色で(たとえば赤色)表示するなどしてユーザに注意を喚起し、作成時点から宛先アドレスの確認を促すようにしてもよい。
【００５９】
また、表示領域のサイズの制限などから、電子メールの本文作成画面が宛先作成画面とは別画面で表示される場合は、本文作成画面の一部に、「宛先」，「件名」などを移動表示(マーキー)させるなどして、宛先が正しいことの確認を促すようにしてもよい（図５の（Ｂ），図６の（Ｂ）を参照）。
【００６０】
本実施の形態によれば、マルチタスク制御を用いて、受信電子メールを表示する画面と、送信電子メールを作成する画面を同時に表示させる場合において、表示している受信電子メールの送信元アドレスと、作成中の電子メールの宛先アドレスが同一でない場合に、ユーザに対して宛先情報の注意喚起を促すような通知としてアラート情報が出力される。これにより、電子メールの誤送信を回避することができる。
【００６１】
（他の実施の形態）
本実施の形態における電子メールの通信処理方法は、プログラムとして提供することもできる。このようなプログラムは、携帯電話１などの情報処理端末に付属する記録媒体（メモリ形状のカード、フレキシブルディスク、ＣＤ（Compact  Disc）−ＲＯＭ、ＲＯＭ、ＲＡＭなど）であって、ＣＰＵ２が読取り可能な記録媒体に記録させて、プログラム製品として提供することもできる。あるいは、ネットワークＮＴを介した携帯電話１などの情報処理端末の所定記憶領域へのダウンロードによって、プログラムを提供することもできる。
【００６２】
提供されるプログラム製品は、記憶部３などのプログラム格納部にインストールされてＣＰＵ２により読出されて実行される。なお、プログラム製品は、プログラム自体と、プログラムが記録された記録媒体とを含む。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１  携帯電話、３  記憶部、８  入力部、１２  外部メモリ、２０  アラート出力部、２０Ａ  アラート画面、２１  メール表示処理部、２２  メール編集処理部、２３  タスク制御部、３３  表示メールアドレス、３４  送信メールアドレス。
【図１】
2012155452.tif 000003
【図２】
2012155452.tif 000004
【図３】
2012155452.tif 000005
【図４】
2012155452.tif 000006
【図５】
2012155452.tif 000007
【図６】
2012155452.tif 000008
【図７】
2012155452.tif 000009